(57)【要約】  二次電池は、複数の正極及び複数の負極の端部にそれぞれ形成された電極タブと、電極タブを介して複数の正極または複数の負極と接続される帯板状の電極引き出しタブと、帯板状の補助タブとを有し、複数の電極タブと電極引き出しタブと補助タブとを接合する接合部において、接合対象となる複数の電極タブ及び電極引き出しタブが補助タブで覆われることで一体的に接合されている。
2018016194.tif 000002
【特許請求の範囲】
【請求項１】
複数の正極及び複数の負極の端部にそれぞれ形成された電極タブと、
前記電極タブを介して複数の前記正極または複数の前記負極と接続される帯板状の電極引き出しタブと、
帯板状の補助タブと、
を有し、
複数の前記電極タブと前記電極引き出しタブと前記補助タブとを接合する接合部において、
接合対象となる複数の前記電極タブ及び前記電極引き出しタブが前記補助タブで覆われることで一体的に接合された二次電池。
【請求項２】
前記補助タブは、断面がＵ字状である請求項１記載の二次電池。
【請求項３】
前記接合部は、
断面がＵ字状の金属板をさらに有し、
前記補助タブの凹部が、前記金属板の凹部で塞がれ、前記電極タブ、前記電極引き出しタブ、前記補助タブ及び前記金属板が一体的に接合された請求項２記載の二次電池。
【請求項４】
前記補助タブは、断面がＵ字状の両端部がＬ字状に内側へ折り曲げられた形状である請求項１記載の二次電池。
【請求項５】
前記補助タブは、断面がＵ字状の対向する一方の辺が延伸され、該延伸された一方の辺の端部が凹部内に折り返された形状である請求項１記載の二次電池。
【請求項６】
前記補助タブは、断面がＵ字状の両端部が凹部内にそれぞれ折り返された形状である請求項１記載の二次電池。
【請求項７】
複数の前記電極タブが、前記電極引き出しタブの一方の面と該面と対向する他方の面とに分割してそれぞれ配置された請求項１から６のいずれか１項に記載の二次電池。
【請求項８】
複数の正極及び複数の負極の端部にそれぞれ形成された電極タブと、
前記電極タブを介して複数の前記正極または複数の前記負極と接続される帯板状の電極引き出しタブと、
を有する二次電池の製造方法であって、
帯板状の補助タブを用意し、
複数の前記電極タブと前記電極引き出しタブと前記補助タブとを接合する接合部において、
接合対象となる複数の前記電極タブ及び前記電極引き出しタブを前記補助タブで覆うことで一体的に接合する二次電池の製造方法。
【発明の詳細な説明】
【技術分野】
【０００１】
本発明は二次電池およびその製造方法に関する。
【背景技術】
【０００２】
一般に、二次電池は、シート状の正極及び負極がセパレータを間に有して積層または巻回されて、電解液と共に外装フィルムや金属缶等の外装体に収容されて封止された構成である。外装体からは、正極及び負極と接続された外部端子（正極端子及び負極端子）となる帯板状の電極引き出しタブがそれぞれ引き出される。【０００３】
近年の二次電池は、携帯電話機、ノート型やタブレット型のパーソナルコンピュータ等の各種携帯機器で用いられるだけでなく、電動アシスト自転車、電気自動車やハイブリッド自動車等の電源としても用いられる。さらに、二次電池は、地球温暖化問題に伴う低炭素社会の実現へ向けて導入されつつある、太陽電池等の再生可能電源で発電された電力の貯蔵にも用いられる。二次電池を電力貯蔵や電気自動車等の大型の電源として用いる場合、上記電極引き出しタブ（外部端子）には大きな電流が流れるため、該電極引き出しタブの抵抗値を小さくする必要がある。【０００４】
電極引き出しタブは、シート状の各正極の端部に形成された複数の正極タブを積層した正極集電箔と接合される。また、電極引き出しタブは、シート状の各負極の端部に形成された複数の負極タブを積層した負極集電箔と接合される。電極引き出しタブと正極集電箔との接合及び電極引き出しタブと負極集電箔との接合には、例えば超音波溶接が用いられる。【０００５】
超音波溶接では、凹凸面を有する超音波接合装置のアンビル上に電極引き出しタブを載置し、その上面に正極集電箔または負極集電箔を配置し、さらに正極集電箔または負極集電箔上に超音波接合装置のホーンを当接して溶接する。このとき、超音波振動の強度が大きいと、ホーンと当接する正極集電箔または負極集電箔がホーンから伝わる超音波振動によって切断・損傷するおそれがある。そのため、例えば特許文献１では、正極集電箔または負極集電箔と超音波接合装置のホーンとの間に金属板から成る保護部材を配置し、該保護部材を用いて超音波振動から正極集電箔や負極集電箔を保護する方法を提案している。【０００６】
なお、電極引き出しタブと正極集電箔の接合部及び電極引き出しタブと負極集電箔の接合部は、それぞれシート状の正極及び負極の近傍に設けるため、通常、外装体内に収納される。一方、超音波溶接では、超音波接合装置のアンビルと当接する電極引き出しタブの表面、並びに超音波接合装置のホーンと当接する保護部材の表面に、バリ、突起等の凹凸部が発生する。そのため、上記接合部が外装体内に収納される二次電池では、該接合部の表面で発生した凹凸部が該二次電池の外装体である外装フィルムの内部を傷つけて損傷させるおそれがある。
そこで、特許文献１では、凹凸部から外装フィルム内部を保護するため、電極引き出しタブの幅よりも長い帯状の保護部材を用意し、超音波溶接後に該保護部材を折り曲げて凹凸部を覆うようにした構成を提案している。【０００７】
ところで、超音波溶接は、その原理上、接合部で電気抵抗を発生させることがない。しかしながら、実際の接合部では、電極引き出しタブと各電極タブとが完全に溶着するわけではないため、接触抵抗を主要因とする電気抵抗が発生する。特に複数の正極タブを積層した正極集電箔及び複数の負極タブを積層した負極集電箔で接触抵抗が大きくなる。したがって、電極引き出しタブに大きな電流が流れる場合、上記接合部の電気抵抗が二次電池の無駄な電力消費の要因となる。【０００８】
上述したように特許文献１は、超音波溶接時に電極引き出しタブの表面及び保護部材の表面で発生するバリ、突起等から外装フィルム内部を保護するための技術を提案したものであり、接合部における電気抵抗を低減するための技術は何も示していない。
【先行技術文献】
【特許文献】
【０００９】
【特許文献１】国際公開第２０１３／０３１９３７号
【発明の概要】
【００１０】
そこで、本発明は、電極引き出しタブと電極タブの接合部における電気抵抗をより低減できる二次電池およびその製造方法を提供することを目的とする。
【００１１】
上記目的を達成するため本発明の二次電池は、複数の正極及び複数の負極の端部にそれぞれ形成された電極タブと、
前記電極タブを介して複数の前記正極または複数の前記負極と接続される帯板状の電極引き出しタブと、
帯板状の補助タブと、
を有し、
複数の前記電極タブと前記電極引き出しタブと前記補助タブとを接合する接合部において、
接合対象となる複数の前記電極タブ及び前記電極引き出しタブが前記補助タブで覆われることで一体的に接合された構成である。
【００１２】
一方、本発明の二次電池の製造方法は、複数の正極及び複数の負極の端部にそれぞれ形成された電極タブと、
前記電極タブを介して複数の前記正極または複数の前記負極と接続される帯板状の電極引き出しタブと、
を有する二次電池の製造方法であって、
帯板状の補助タブを用意し、
複数の前記電極タブと前記電極引き出しタブと前記補助タブとを接合する接合部において、
接合対象となる複数の前記電極タブ及び前記電極引き出しタブを前記補助タブで覆うことで一体的に接合する方法である。
【図面の簡単な説明】
【００１３】
【図１】図１は、本発明の二次電池の一構成例を示す平面図である。
【図２】図２は、図１に示した二次電池をＡ−Ａ’線から見た断面図である。
【図３】図３は、図１に示した二次電池の電池本体内に収納される電極積層体の一構成例を示す平面図である。
【図４】図４は、図３に示した電極積層体の接合部をＡ−Ａ’線から見た断面図である。
【図５】図５は、補助タブのその他の形状例を示す断面図である。
【図６】図６は、補助タブのその他の形状例を示す断面図である。
【図７】図７は、補助タブのその他の形状例を示す断面図である。
【図８】図８は、補助タブのその他の形状例を示す断面図である。
【発明を実施するための形態】
【００１４】
次に本発明について図面を用いて説明する。
図１は本発明の二次電池の一構成例を示す平面図であり、図２は図１に示した二次電池をＡ−Ａ’線から見た断面図である。
図１で示すように、本発明の二次電池１は、電池本体１１、帯板状の正極引き出しタブ１２及び負極引き出しタブ１３を有する。
【００１５】
電池本体１１は、金属フィルム、あるいは金属薄膜と熱融着性樹脂フィルムとを積層したラミネートフィルム等の外装フィルムを外装体とし、該外装フィルムの外周を熱融着することで封止した構成である。帯板状の正極引き出しタブ１２及び負極引き出しタブ１３は、電池本体１１の一方の短辺に設けた封口部１４からそれぞれ引き出される。正極引き出しタブ１２及び負極引き出しタブ１３と外装フィルムの封口部１４とが当接する部位にはガスケット部１５がそれぞれ設けられ、該ガスケット部１５により外装フィルムの封止性能が高められている。
【００１６】
図２で示すように、電池本体１１内部には、シート状の正極１００及び負極２００がセパレータ３００を間に有して積層されて、電解液と共に収納される。各正極１００の端部にはそれぞれ正極タブ１０５が設けられ、該複数の正極タブ１０５が、接合部１１０にて正極引き出しタブ１２と接合される。図２では示していないが、各負極２００の端部にはそれぞれ負極タブ２０５が設けられ、該複数の負極タブ２０５が接合部２１０にて負極引き出しタブ１３と接合される。上述したように、正極タブ１０５と正極引き出しタブ１２との接合、並びに負極タブ２０５と負極引き出しタブ１３との接合には、例えば超音波溶接を用いる。
本明細書では、正極タブ１０５及び負極タブ２０５を総称する場合は「電極タブ」と称し、正極引き出しタブ１２及び負極引き出しタブ１３を総称する場合は「電極引き出しタブ」と称す。
【００１７】
図３は、図１に示した二次電池の電池本体内に収納される電極体の一構成例を示す平面図である。
図３で示すように、電極体４００は、シート状の正極１００及び負極２００がセパレータ３００を間に有して積層された構成である。電極体４００は、正極１００、負極２００及びセパレータ３００が互いに位置ずれしないように、粘着テープ４１０を用いて各端辺がそれぞれ固定されている。上述したように、二次電池１には、シート状の正極１００及び負極２００がセパレータ３００を間に有して巻回された電極体が、電池本体１１内に封入された構成もある。
【００１８】
図４は、図３に示した電極積層体の接合部をＡ−Ａ’線から見た断面図である。図４は、接合部１１０の構成例と共に、超音波接合装置を用いて正極タブ（電極タブ）１０５と正極引き出しタブ（電極引き出しタブ）１２とを接合する様子を示している。図４では、正極タブ１０５と正極引き出しタブ１２の接合部１１０の構成例のみを示しているが、負極タブ２０５と負極引き出しタブ１３の接合部２１０も同様の構成である。
【００１９】
図４で示すように、本発明の二次電池は、正極引き出しタブ１２と複数の正極タブ１０５とを覆う帯板状の補助タブ１１１を備える。補助タブ１１１は、正極引き出しタブ１２の引き出し方向と直交する方向に、正極引き出しタブ１２及び複数の正極タブ１０５をそれぞれ囲むように配置される。
また、本発明では、補助タブ１１１の外周面のうち、帯板状の正極タブ１０５及び正極引き出しタブ１２と平行な２面に超音波接合装置のアンビル及びホーンを当接させて溶接することで、正極タブ１０５、正極引き出しタブ１２及び補助タブ１１１を一体的に接合する。
【００２０】
補助タブ１１１には、正極引き出しタブ１２や負極引き出しタブ１３と同じ材料を用いればよい。例えば、正極引き出しタブ１２がアルミニウムで形成されている場合、正極引き出しタブ１２の接合部１１０で用いる補助タブ１１１にもアルミニウムを用いればよい。負極引き出しタブ１３が正極引き出しタブ１２と異なる材料で形成されている場合、負極引き出しタブ１３の接合部２１０で用いる補助タブ１１１には、該負極引き出しタブ１３と同じ材料を用いればよい。負極引き出しタブ１３には、例えばニッケル、ニッケルめっき銅板、ニッケルで覆われたニッケル銅クラッド材等が用いられる。
【００２１】
このように補助タブ１１１を正極タブ１０５及び正極引き出しタブ１２と一体的に接合することで、補助タブ１１１が超音波溶接時における正極タブ１０５を保護する保護部材として機能する。また、補助タブ１１１の外周面のうち、帯板状の正極タブ１０５及び正極引き出しタブ１２と平行な２面で溶接することで、正極引き出しタブ１２から離間した正極タブ１０５は、接触抵抗が大きくなる他の正極タブ１０５ではなく、補助タブ１１１を介して正極引き出しタブ１２と電気的に接続される。そのため、正極引き出しタブ（電極引き出しタブ）１２と正極タブ（電極タブ）１０５との接合部１１０における電気抵抗をより低減できる。
同様に、補助タブ１１１を負極タブ２０５及び負極引き出しタブ１３と一体的に接合することで、超音波振動から負極タブ２０５を保護できると共に接合部２１０における電気抵抗をより低減できる。
【００２２】
図４では、正極引き出しタブ１２の上面（一方の面）側に複数の正極タブ１０５が積層された例を示しているが、複数の正極タブ１０５は、正極引き出しタブ１２の上面（一方の面）側と、該上面と対向する下面（他方の面）側とに分割して配置してもよい。複数の正極タブ１０５を正極引き出しタブ１２の一方の面側と他方の面側とに分割して配置すれば、各面上に積層する正極タブ１０５の数を低減できる。したがって、正極タブ１０５どうしの接触抵抗が低減するため、正極引き出しタブ１２の一方の面にのみ正極タブ１０５を配置する構成よりも接合部１１０における電気抵抗をより低減できる。複数の正極タブ１０５を正極引き出しタブ１２の一方の面側と他方の面側とに分割して配置する構成は、後述する図５〜図８で示す補助タブ１１１を用いる場合にも適用できる。
【００２３】
上記特許文献１に記載されているように、超音波接合装置のアンビル及びホーンと当接する補助タブ１１１の表面には超音波溶接によってバリ、突起等の凹凸部が発生し、該凹凸部で外装フィルム内部が傷つくおそれがある。そのため、超音波溶接後の補助タブ１１１の表面では、保護テープ等を用いて溶接痕である凹凸部を覆うことで該凹凸部から外装フィルム内部を保護することが好ましい。
【００２４】
なお、図４では、図３で示した電極積層体のＡ−Ａ’線から見て断面がＵ字状の補助タブ１１１を備え、該補助タブ１１１の凹部内に正極タブ１０５及び正極引き出しタブ１２をそれぞれ配置する例を示しているが、補助タブ１１１は図４に示した形状に限定されるものではない。図５〜図８に、補助タブのその他の形状例を示す。
【００２５】
図５〜図８は、図４と同様に、図３で示した電極積層体のＡ−Ａ’線から見た断面図を示している。また、図５〜図８は、図４と同様に、接合部１１０の構成例と共に、超音波接合装置を用いて正極タブ１０５と正極引き出しタブ１２とを、帯板状の正極タブ１０５及び正極引き出しタブ１２と平行な２面にて溶接・接合する様子を示している。図５〜図８では、正極タブ１０５と正極引き出しタブ１２とを接合する接合部１１０の構成例のみを示しているが、負極タブ２０５と負極引き出しタブ１３とを接合する接合部２１０も同様の構成である。
【００２６】
図５は、断面がＵ字状の補助タブ１１１の凹部内に複数の正極タブ１０５及び正極引き出しタブ１２をそれぞれ配置し、該補助タブ１１１の両端部をそれぞれＬ字状に内側へ折り曲げた例を示している。補助タブ１１１、正極引き出しタブ１２及び複数の正極タブ１０５は、補助タブ１１１の外周面のうち、帯板状の正極タブ１０５及び正極引き出しタブ１２と平行な２面に超音波接合装置のアンビル及びホーンを当接させて溶接することで一体的に接合する。
【００２７】
図５では、帯板状の正極タブ１０５及び正極引き出しタブ１２と平行な方向に補助タブ１１１の両端部をそれぞれＬ字状に内側へ折り曲げた例を示しているが、補助タブ１１１は、正極タブ１０５及び正極引き出しタブ１２の厚さ方向に、その両端部をそれぞれＬ字状に内側へ折り曲げる形状としてもよい。
図５に示す補助タブ１１１では、該補助タブ１１１の両端部をそれぞれＬ字状に内側へ折り曲げることで、正極タブ１０５及び正極引き出しタブ１２に対する補助タブ１１１の位置が固定されて該補助タブ１１１の位置ずれが抑制される。同様の効果は、後述する図６〜図８で示す補助タブ１１１の形状でも得ることができる。
【００２８】
図６は、断面がＵ字状の補助タブ１１１及び金属板１１２を備え、補助タブ１１１の凹部内に正極引き出しタブ１２及び複数の正極タブ１０５を配置し、該補助タブ１１１の凹部を金属板１１２の凹部で塞いだ例を示している。
補助タブ１１１、金属板１１２、正極引き出しタブ１２及び複数の正極タブ１０５は、補助タブ１１１及び金属板１１２の外周面のうち、帯板状の正極タブ１０５及び正極引き出しタブ１２と平行な２面に超音波接合装置のアンビル及びホーンを当接させて溶接することで一体的に接合する。金属板１１２は、補助タブ１１１と同じ材料を用いて形成すればよい。
【００２９】
図６では、複数の正極タブ１０５を、補助タブ１１１の凹部内に位置する金属板１１２の一方の面側と他方の面側とに分割して配置する例を示しているが、複数の正極タブ１０５は分割して配置しなくてもよい。例えば、複数の正極タブ１０５は、補助タブ１１１の凹部内に位置する金属板１１２の一方の面側または他方の面側に一括して配置してもよい。
【００３０】
図７は、対向する一方の辺が延伸された断面がＵ字状の補助タブ１１１の凹部内に複数の正極タブ１０５及び正極引き出しタブ１２をそれぞれ配置し、該延伸された一方の端部を補助タブ１１１の凹部内に折り返した形状例を示している。補助タブ１１１、正極引き出しタブ１２及び複数の正極タブ１０５は、補助タブ１１１の外周面のうち、帯板状の正極タブ１０５及び正極引き出しタブ１２と平行な２面に超音波接合装置のアンビル及びホーンを当接させて溶接することで一体的に接合する。
【００３１】
図７では、複数の正極タブ１０５を、凹部内に折り返した補助タブ端部の一方の面側と他方の面側とに分割して配置する例を示しているが、複数の正極タブ１０５は分割して配置しなくてもよい。例えば、複数の正極タブ１０５は、凹部内に折り返した補助タブ端部の一方の面側または他方の面側に一括して配置してもよい。
【００３２】
図８は、Ｕ字状の補助タブ１１１の凹部内に正極タブ１０５及び正極引き出しタブ１２をそれぞれ配置し、該補助タブ１１１の両端部をそれぞれ凹部内に折り返した形状例を示している。補助タブ１１１、正極引き出しタブ１２及び複数の正極タブ１０５は、補助タブ１１１の外周面のうち、帯板状の正極タブ１０５及び正極引き出しタブ１２と平行な２面に超音波接合装置のアンビル及びホーンを当接させて溶接することで一体的に接合する。
【００３３】
図８は、複数の正極タブ１０５を、凹部内に折り返した２つの補助タブ端部で３つに分割して配置する例を示しているが、複数の正極タブ１０５は２つに分割して配置してもよく、分割して配置しなくてもよい。例えば、複数の正極タブ１０５は、凹部内に折り返した２つの補助タブ端部のうち、いずれか一方の補助タブ端部の一方の面側と他方の面側とに分割して配置してもよい。また、複数の正極タブ１０５は、凹部内に折り返した２つの補助タブ端部のうち、いずれか一方の補助タブ端部の一方の面側または他方の面側に一括して配置してもよい。
【００３４】
補助タブ１１１は、通常、超音波接合装置のアンビル及びホーンが当接する面と同程度の大きさ（面積）となるように折り曲げて成形する。折り曲げ後の補助タブ１１１が超音波接合装置のアンビル及びホーンと当接する面よりも大きいと、超音波溶接後に該補助タブ１１１の周囲が浮き上がり、外装体である外装フィルム内部を傷つけるおそれがある。特に図４〜図７で示した例では、補助タブ１１１の一方の端部または両端部が接合部１１０の最外周に位置するため、超音波溶接後に浮き上がった端部が外装フィルム内部を傷つける鋭利部となる。
【００３５】
図８に示した補助タブ１１１は、両端部をそれぞれ凹部内に折り返した形状であり、鋭利部となる端部が外部に露出しないため、図４〜図７に示した補助タブ１１１よりも外装フィルム内部が傷つく不具合が抑制される。
【００３６】
以上、実施形態を参照して本願発明を説明したが、本願発明は上記実施形態に限定されものではない。本願発明の構成や詳細は本願発明のスコープ内で当業者が理解し得る様々な変更が可能である。
この出願は、２０１６年  ７月２１日に出願された特願２０１６−１４３１４５号を基礎とする優先権を主張し、その開示の全てをここに取り込む。
【図１】
2018016194.tif 000003
【図２】
2018016194.tif 000004
【図３】
2018016194.tif 000005
【図４】
2018016194.tif 000006
【図５】
2018016194.tif 000007
【図６】
2018016194.tif 000008
【図７】
2018016194.tif 000009
【図８】
2018016194.tif 000010
【国際調査報告】
2018016194.tif 000011
2018016194.tif 000012
2018016194.tif 000013
2018016194.tif 000014